【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
物体側より像側へ順に配置された、負の屈折力の第１レンズ群、正の屈折力の第２レンズ群、正の屈折力の第３レンズ群より構成され、ズーミングに際して隣り合うレンズ群の間隔が変化するズームレンズにおいて、
前記第１レンズ群は、最も物体側に配置された負レンズＧ１１を含む複数のレンズより構成され、
前記第１レンズ群の焦点距離をｆ１、前記第２レンズ群の焦点距離をｆ２、前記負レンズＧ１１の物体側のレンズ面と像側のレンズ面の曲率半径を各々Ｒ１１、Ｒ１２とするとき、
−０．９＜ｆ１／ｆ２＜−０．２
０．１０＜（Ｒ１１＋Ｒ１２）／（Ｒ１１−Ｒ１２）＜０．５５
なる条件式を満足することを特徴とするズームレンズ。
【請求項２】
前記負レンズＧ１１の像側に隣接して配置されたレンズＧ１２の物体側のレンズ面の曲率半径をＲ２１とするとき、
−２０．０＜（Ｒ１２＋Ｒ２１）／（Ｒ１２−Ｒ２１）＜−３．５
なる条件式を満足することを特徴とする請求項１に記載のズームレンズ。
【請求項３】
前記負レンズＧ１１の物体側のレンズ面の屈折力をｆＲ１１とするとき、
−０．９５＜ｆ２／ｆＲ１１＜−０．５５
なる条件式を満足することを特徴とする請求項１又は２に記載のズームレンズ。
【請求項４】
前記第１レンズ群の最も物体側のレンズ面から前記第１レンズ群の最も像側のレンズ面までの距離をＤ１とするとき、
−１．０＜Ｄ１／ｆ１＜−０．４
なる条件式を満足することを特徴とする請求項１乃至３のいずれか１項に記載のズームレンズ。
【請求項５】
前記負レンズＧ１１の焦点距離をｆ１ｎとするとき、
０．４＜ｆ１ｎ／ｆ１＜０．７
なる条件式を満足することを特徴とする請求項１乃至４のいずれか１項に記載のズームレンズ。
【請求項６】
前記第１レンズ群に含まれる正レンズの材料の屈折率とアッベ数を各々Ｎ１ｐ、ν１ｐとするとき、前記第１レンズ群は、
Ｎ１ｐ＞１．９
ν１ｐ＜１９．０
なる条件式を満足する材料から構成される正レンズを有することを特徴とする請求項１乃至５のいずれか１項に記載のズームレンズ。
【請求項７】
前記第１レンズ群は、前記負レンズＧ１１と、該負レンズＧ１１の像側に配置された正レンズより構成されていることを特徴とする請求項１乃至６のいずれか１項に記載のズームレンズ。
【請求項８】
広角側での有効像円径が望遠端での有効像円径よりも小さいことを特徴とする請求項１乃至７のいずれか１項に記載のズームレンズ。
【請求項９】
請求項１乃至８のいずれか１項に記載のズームレンズと、該ズームレンズによって形成された像を受光する撮像素子を有する事を特徴とする撮像装置。
【手続補正２】
【補正対象書類名】明細書
【補正対象項目名】０００８
【補正方法】変更
【補正の内容】
【０００８】
本発明のズームレンズは、物体側より像側へ順に配置された、負の屈折力の第１レンズ群、正の屈折力の第２レンズ群、正の屈折力の第３レンズ群より構成され、ズーミングに際して隣り合うレンズ群の間隔が変化するズームレンズにおいて、
前記第１レンズ群は、最も物体側に配置された負レンズＧ１１を含む複数のレンズより構成され、
前記第１レンズ群の焦点距離をｆ１、前記第２レンズ群の焦点距離をｆ２、前記負レンズＧ１１の物体側のレンズ面と像側のレンズ面の曲率半径を各々Ｒ１１、Ｒ１２とするとき、
−０．９＜ｆ１／ｆ２＜−０．２
０．１０＜（Ｒ１１＋Ｒ１２）／（Ｒ１１−Ｒ１２）＜０．５５
なる条件式を満足することを特徴としている。
【手続補正３】
【補正対象書類名】明細書
【補正対象項目名】００１１
【補正方法】変更
【補正の内容】
【００１１】
以下、本発明のズームレンズ及びそれを有する撮像装置を図面に基づいて説明する。本発明のズームレンズは、物体側より像側へ順に配置された、負の屈折力の第１レンズ群、正の屈折率の第２レンズ群、正の屈折力の第３レンズ群より構成されている。そしてズーミングに際して隣り合うレンズ群の間隔が変化する。
【手続補正４】
【補正対象書類名】明細書
【補正対象項目名】００２２
【補正方法】変更
【補正の内容】
【００２２】
各実施例は物体側より像側へ順に、負の屈折力の第１レンズ群Ｌ１、正の屈折力の第２レンズ群Ｌ２、正の屈折力の第３レンズ群Ｌ３より構成される３群構成のズームレンズである。広角端から望遠端へのズーミングに際しては各レンズ群が矢印の如く移動する。具体的には広角端から望遠端へのズーミングに際して、第１レンズ群Ｌ１は像側に凸状の軌跡で移動し、第２レンズ群Ｌ２は単調に物体側に移動し、第３レンズ群Ｌ３は物体側に移動する。
【手続補正５】
【補正対象書類名】明細書
【補正対象項目名】００３６
【補正方法】変更
【補正の内容】
【００３６】
負レンズＧ１１の像側に隣接して配置されたレンズＧ１２の物体側のレンズ面の曲率半径をＲ２１とする。負レンズＧ１１の物体側のレンズ面の屈折力をｆＲ１１とする。レンズ面の屈折力ｆＲ１１は負レンズＧ１１の材料の屈折率をＮ１ｎ、レンズ面の曲率半径をＲ１１とするとき、
ｆＲ１１＝Ｒ１１／（Ｎ１ｎ−１）
で定義される。
【手続補正６】
【補正対象書類名】明細書
【補正対象項目名】００３７
【補正方法】変更
【補正の内容】
【００３７】
第１レンズ群Ｌ１の最も物体側のレンズ面から第１レンズ群Ｌ１の最も像側のレンズ面までの距離をＤ１とする。負レンズＧ１１の焦点距離をｆ１ｎとする。第１レンズ群Ｌ１に含まれる正レンズの材料の屈折率と、アッベ数を各々Ｎ１ｐ、ν１ｐとする。
【手続補正７】
【補正対象書類名】明細書
【補正対象項目名】００３８
【補正方法】変更
【補正の内容】
【００３８】
このとき次の条件式のうち１つ以上を満足するのが良い。
−２０．０＜（Ｒ１２＋Ｒ２１）／（Ｒ１２−Ｒ２１）＜−３．５  ・・・（３）
−０．９５＜ｆ２／ｆＲ１１＜−０．５５                        ・・・（４）
−１．０＜Ｄ１／ｆ１＜−０．４                                ・・・（５）
０．４＜ｆ１ｎ／ｆ１＜０．７                                  ・・・（６）
Ｎ１ｐ＞１．９                                                ・・・（７）
ν１ｐ＜１９．０                                              ・・・（８）
但し、第１レンズ群Ｌ１は条件式（７）、（８）を満足する材料から構成される正レンズを少なくとも１つ有していれば良い。次に前述の各条件式の技術的意味について説明する。
【手続補正８】
【補正対象書類名】明細書
【補正対象項目名】００４８
【補正方法】変更
【補正の内容】
【００４８】
次に各レンズ群のレンズ構成について説明する。第１レンズ群Ｌ１は物体側のレンズ面が凹で両凹形状の負レンズＧ１１と負レンズＧ１１の像側に配置された物体側のレンズ面が凸でメニスカス形状の正レンズＧ１２で構成している。全系の小型化を図るために第１レンズ群Ｌ１の負の屈折力を適切な範囲で強めている。このとき、第１レンズ群Ｌ１内より発生する諸収差、特に広角端において歪曲収差、像面湾曲が多く発生してくる。このとき、第１レンズ群Ｌ１で発生する歪曲収差を許容し、像面湾曲を補正する様に構成している。